(57)【特許請求の範囲】
【請求項１】
患者の体表に接触可能な電極部をそれぞれ有する一対の体外パドルと、
前記体外パドルが接続され、前記体外パドルを介して前記患者に通電して前記患者の心臓に電気ショックを付与する除細動器本体と、
を有する体外式除細動器において、
前記除細動器本体の上面に設けられ、上方に開口する凹状部を有し前記凹状部内に前記体外パドルを着脱自在に収容するパドル台と、
前記除細動器本体から上方に突出するよう設けられ、操作者が把持可能な本体ハンドル部と、
を有し、
携帯時及び前記体外パドルの使用時における前記本体ハンドル部の上端の高さ位置は、前記パドル台において前記凹状部と前記本体ハンドル部との間の部位の高さ位置と略同じ、或いは、前記凹状部と前記本体ハンドル部との間の部位の高さ位置よりも低い、
体外式除細動器。
【請求項２】
前記除細動器本体は、前記電気ショックの情報を表示する表示部が設けられた一側面を有し、
前記本体ハンドル部は、前記除細動器本体の上面に前記パドル台よりも前記一側面側に配置され、
前記本体ハンドル部の上端は、前記パドル台における前記凹状部と前記一側面との間の部位の上端と略同じ、或いは、前記凹状部と前記一側面との間の部位の上端よりも低い、
請求項１記載の体外式除細動器。
【請求項３】
前記パドル台と前記除細動器本体とは別部材で着脱可能に構成されている、
請求項１または２記載の体外式除細動器。
【請求項４】
前記パドル台における前記凹状部と前記一側面との間の部位の上端には、上方に突出して突出片が設けられている、
請求項２記載の体外式除細動器。
【請求項５】
前記除細動器本体の上面において前記本体ハンドル部と前記パドル台とは空隙を空けて配置されている、
請求項１から４のいずれか一項に記載の体外式除細動器。
【発明の詳細な説明】
【技術分野】
【０００１】
本発明は、体外式除細動器に関する。
【背景技術】
【０００２】
例えば、心臓が心室細動を起こし全身へ血液を送れなくなってしまった患者に対して、心臓の動きを正常に戻すために、電気ショックを与えて心臓の細動の除去を試みる体外式除細動器が知られている。
【０００３】
体外式除細動器は、例えば、特許文献１に示すように、体外パドルと、体表に当てた体外パドルを介して患者に電気ショックを与える除細動器本体とを有する。
体外パドルからケーブルが導出され、このケーブルの端部にはコネクタが設けられている。このコネクタを除細動器本体に差し込むことで、体外パドルは、除細動器本体に電気的に接続される。
除細動器本体は、体外パドルでの操作により、体外パドルを介して患者に電気ショックを与えて、除細動処理を行う。なお、除細動器本体は、体外パドルを通じて患者の心臓の状態に関わる情報（心電図ＥＣＧ：Electrocardiogram）を取得できる。この除細動器本体では、除細動に必要な情報を表示する表示面を一側面に配置し、上面に、体外パドルを収容する収容部が形成されている。
【０００４】
除細動器本体の上面で体外パドルを収容する体外式除細動器としては、除細動処置者によって救急現場に持ち運ばれたり、患者とともに移動できるように、除細動器本体の上面に、上方に突出する取っ手（本体ハンドル部）を設けた構成が知られている。本体ハンドル部は、除細動器本体の上面から離間して突出させたアーム間に、手で握る握持部分を架け渡して形成し、この握持部分を高い位置で、且つ、除細動器本体の重心を通る鉛直線上に近い位置に位置させて、持ち運びしやすいようにする。具体的には、本体ハンドル部は、特許文献２の図１に示すように、除細動器本体の上面において、体外パドルの収容部とディスプレイ（表示部）のある表示面との間の部位（コードが配置されている部分）で、握持部分が高い位置に位置するように、上方に突設される。
【先行技術文献】
【特許文献】
【０００５】
【特許文献１】特開２００４−１８１１１１号公報
【特許文献２】特表２０１４−５０５５５１号公報
【発明の概要】
【発明が解決しようとする課題】
【０００６】
ところで、体外式除細動器は、患者の心臓が突然、停止状態或いは細動状態になった場合等の使用時において、直ちに体外パドルを患者の体表面の所定の位置に押し当てて、適切なタイミングで電気ショックを与えなければならない。
【０００７】
しかしながら、従来の体外式除細動器の上面には、体外パドルの収容部と、表示部を有する表示面との間に、持ち運びやすいように本体ハンドル部が上方に突設されている。これにより、表示面側で操作する除細動処理者が、除細動器本体の上面から、体外パドルを取り外して、除細動処理者の手元、つまり、表示面側に引き寄せる際に、本体ハンドル部が阻害し、体外パドルを患者の体表の所定の位置に押し当てる動作を迅速に行うことができないという問題がある。
【０００８】
本発明はかかる点に鑑みてなされたものであり、使用時において、体外パドルを除細動器本体から容易に外して、患者に対する除細動を迅速に行える体外式除細動器を提供することを目的とする。
【課題を解決するための手段】
【０００９】
本発明の体外式除細動器の一つの態様は、
患者の体表に接触可能な電極部をそれぞれ有する一対の体外パドルと、
前記体外パドルが接続され、前記体外パドルを介して前記患者に通電して前記患者の心臓に電気ショックを付与する除細動器本体と、
を有する体外式除細動器において、
前記除細動器本体の上面に設けられ、上方に開口する凹状部を有し前記凹状部内に前記体外パドルを着脱自在に収容するパドル台と、
前記除細動器本体から上方に突出するよう設けられ、操作者が把持可能な本体ハンドル部と、
を有し、
携帯時及び前記体外パドルの使用時における前記本体ハンドル部の上端の高さ位置は、前記パドル台において前記凹状部と前記本体ハンドル部との間の部位の高さ位置と略同じ、或いは、前記凹状部と前記本体ハンドル部との間の部位の高さ位置よりも低い、
構成を採る。
【発明の効果】
【００１０】
本発明によれば、使用時において、体外パドルを除細動器本体から容易に外して、直ぐに患者の体表、詳細には患者の体表の所定の位置に直ぐに押し当てることができ、患者に対する除細動を迅速に行うことができる。
【図面の簡単な説明】
【００１１】
【図１】本発明に係る一実施の形態の体外式除細動器の正面図
【図２】本発明に係る一実施の形態の体外式除細動器の背面図
【図３】本発明に係る一実施の形態の体外式除細動器の平面図
【図４】本発明に係る一実施の形態の体外式除細動器の右側面図
【図５】本発明に係る一実施の形態の体外式除細動器における体外パドルの斜視図
【図６】本発明に係る一実施の形態の体外式除細動器において体外パドルを外した正面図
【図７】本発明に係る一実施の形態の体外式除細動器において体外パドルを外した平面図
【図８】本発明に係る一実施の形態の体外式除細動器において体外パドルを外した右側面図
【発明を実施するための形態】
【００１２】
以下、本発明の実施の形態について、図面を参照して詳細に説明する。
【００１３】
図１は、本発明に係る一実施の形態の体外式除細動器の正面図であり、図２は同背面図であり、図３は、同平面図であり、図４は，同右側面図である。なお、本実施の形態において前，後、左，右は、上記体外式除細動器の表示部の有る一側面を正面として、正面側、背面側、左側面側、右側面側を意味する。
【００１４】
図１〜図４に示す体外式除細動器１０は、体外式除細動器本体（以下、「除細動器本体」という）２０、一対の体外パドル（パドル）３０、４０、及びパドル３０、４０を除細動器本体２０に接続する接続コード５０を有する。
【００１５】
図５は、本発明に係る一実施の形態の体外式除細動器における体外パドルの斜視図である。なお、図５では、パドル３０のみ図示するが、パドル４０もパドル３０と同様の構成要素で構成されている。
パドル３０、４０は、図２、図３及び図５に示すように、電極部（図５の電極部３１ａ参照）を備えるフランジ部３１、４１及びハンドル部３２、４２を有する。フランジ部３１、４１は、矩形板状に形成されており、下面部分に、患者の体表に接触させるための接触面である電極部３１ａ（図５参照）を有するように形成されている。ハンドル部３２、４２は、フランジ部３１、４１と一体化されており、フランジ部３１、４１から電極部の接触面とは反対側に突出するように設けられている。ここでは、ハンドル部３２、４２は、フランジ部３１、４１の上面に設けられている。ハンドル部３２、４２は、除細動処置者の持ちやすさを考慮してＬ字状に形成されており、その各先端部から延在する接続コード５０の端部に設けられたコネクタ６０を除細動器本体２０に差し込むことによって、パドル３０、４０を除細動器本体２０に接続することができる。図１〜図５に示すパドル３０、４０は、除細動器本体２０の上面に設けられたパドル台２３に着脱自在に収容されている。
【００１６】
接続コード５０は、パドル３０、４０を除細動器本体２０に連結させるだけでなく、除細動器本体２０の内部回路とパドル３０、４０の内部回路とを接続する。
【００１７】
接続コード５０は、ここでは、形状がらせん状にカールしたカールコードであり、収縮自在なコードである。
【００１８】
図１に示すように、除細動器本体２０は、内部回路を収容した筐体２１と、パドル台２３と、表示部（ディスプレイ）２５と、本体ハンドル部２７と、を有する。内部回路は、中央処理装置（「ＣＰＵ」）及びメモリを備え、このＣＰＵは、除細動処理者の操作部における操作、パドル３０、４０、及びセンサ等から受信される入出力を処理する。また、メモリには、電気刺激を付与する処理、体外パドル３０、４０を介して入力される患者の生体情報（心電図等）を取得して表示部２５に表示する処理等の除細動処理に関する処理をＣＰＵに実行させるためのプログラム及びデータベースが予め記憶されている。
【００１９】
除細動器本体２０は、図４に示すように、筐体２１の奥行きよりも高さの方が長く、所謂、垂直（縦）タイプである。詳細には、筐体２１は、図１〜図４に示すように、正面視矩形状に形成され、側面視して奥行きの長さが上方に向かって短くなり且つ上面２１１が背面側に下る台形状をなしている。この形状により、筐体２１は、本体において高さよりも奥行きが長い横置き型の除細動器（例えば、特許文献１：特開２００４−１８１１１１号公報参照）よりも設置面積を小さくできる。
【００２０】
筐体の一側面、ここでは正面２１２は、上方に向かって背面側に傾斜する傾斜面となっており、この傾斜する正面２１２に、正面２１２と同様に傾斜する表示部２５が設けられている。正面２１２は、操作面となっており、表示部２５とともに、出力エネルギ設定ツマミ部２８１、操作キー２８２等といった体外式除細動器を操作する操作部が配置されている。表示部２５は、除細動処置者へ患者の生体情報（心電図等）を表示する。
【００２１】
筐体２１の上面２１１には、パドル台２３と、本体ハンドル部２７とが設けられている。
【００２２】
本体ハンドル部２７は、上方に突出して設けられ、例えば、除細動処置者が把持することで除細動器本体２０を持ち運び可能にする。
【００２３】
本体ハンドル部２７は、上面２１１において、水平方向に離間して配置され、且つ、上方に突出するアーム部２７１、２７２と、これらアーム部２７１、２７２間に架設され、横幅方向に長い握持部２７３と、を有する。本体ハンドル部２７は、ここでは、筐体２１に、一体成形等により一体的に形成されている。なお、ここではアーム部２７１、２７２は、握持部２７３側に向かって近づくように傾斜して突出している。
【００２４】
本体ハンドル部２７は、上面２１１の前端部に形成した凹部２１１ａ内面から突出して設けられている。
【００２５】
パドル台２３は、図３及び図４に示すように、上面２１１において、本体ハンドル部２７より後方に空隙Ｇを空けた位置に取り付けられている。
【００２６】
パドル台２３に収容されたパドル３０、４０のハンドル部３２、４２は、電極部及びフランジ部３１、４１が収容されたパドル台２３の上面から上方に突出した状態で配置される。
【００２７】
図６〜図８は、本発明に係る一実施の形態の体外式除細動器において体外パドルを外した正面図、平面図、右側面図である。
【００２８】
パドル台２３は、図７に示すように、上方に凹状に形成された凹状部２３１、２３２を有する。この凹状部２３１、２３２内に、パドル３０、４０の電極部及びフランジ部３１、４１を収容することで、図１〜図４に示すように、パドル台２３には、パドル３０、４０を着脱自在に取り付けることができる。パドル台２３には、凹状部２３１、２３２の周壁に、凹状部２３１、２３２の内部に突出して配置され、弾性変形して凹状部２３１、２３２の外周側に変位可能な係止部２４が形成されている。
【００２９】
係止部２４は、凹状部２３１、２３２内に配置されたフランジ部３１、４１に係脱自在に係合する。
【００３０】
図１及び図４に示すように、パドル台２３の上端において、凹状部２３１、２３２と本体ハンドル部２７との間で水平方向に延在する部位（ハンドル側部位）２３ａの高さ位置は、本体ハンドル部２７の上端と略同じか或いは本体ハンドル部２７の上端よりも高くなるように構成されている。すなわち、本体ハンドル部２７の上端の高さ位置は、パドル台２３において、凹状部２３１、２３２と本体ハンドル部２７との間のハンドル側部位２３ａの高さ位置と略同じか或いはハンドル側部位２３ａの高さ位置よりも低くなるように構成されている。なお、ハンドル側部位２３ａは、凹状部２３１、２３２と正面２１２との間に位置する。
【００３１】
また、このパドル台２３の凹状部２３１、２３２の深さは、電極部付のフランジ部３１、４１の厚み（高さ方向の長さ）と略同じ長さとなっている。これにより、パドル台２３に収容された状態のフランジ部３１、４１では、上面が、パドル台２３の上面と略面一となるように位置し、このフランジ部３１、４１から上方に突出するようにハンドル部３２、４２が配置される。
【００３２】
パドル３０、４０がパドル台２３に取り付けられた状態では、本体ハンドル部２７は、パドル台２３のハンドル側部位２３ａよりも低い位置に位置するので、パドル３０、４０を正面視すると、本体ハンドル部２７と重なることなく、パドル３０、４０のハンドル部３２、４２の全体が正面側で露出する。
【００３３】
また、ハンドル側部位２３ａ、つまり、パドル台２３における凹状部２３１、２３２と正面（一側面）２１２との間の部位の上端は、上方に突出して設けられた突出片２８を有する。
【００３４】
突出片２８は、図４に示すように、パドル３０、４０を収容した状態のパドル取付台２３の上面において、パドル３０、４０より前側に載置した接続コード５０の本体部分５１に係合するこれにより、本体部分５１が上面２１１の前側から落下することを防止する。ここでは、突出片２８は、図１、図３に示すように、パドル台２３の中央部分に設けられており、これにより、載置した接続コード５０の本体部分５１は、中央部分で突出片２８に掛止されるので、本体部分５１の全体に対して、上面２１１の前側の空隙Ｇへの落下を防止している。
【００３５】
このように、本実施の形態によれば、患者の体表に接触可能な電極部（図５で電極部３１ａのみ図示）をそれぞれ有する一対のパドル３０、４０と、パドル３０、４０が接続され、パドル３０、４０を介して患者に通電して患者の心臓に電気ショックを付与する除細動器本体２０と、を有する。除細動器本体２０の上面２１１には、上方に開口する凹状部２３１、２３２を有し凹状部２３１、２３２内にパドル３０、４０を着脱自在に収容するパドル台２３と、上方に突出して設けられ、除細動処置者が把持可能な本体ハンドル部２７と、が設けられている。
【００３６】
本体ハンドル部２７の上端（握持部２７３の上端２７３ａ）の高さ位置は、パドル台２３における凹状部２３１、２３２と本体ハンドル部２７との間の部位（ハンドル側部位）２３ａの高さと略同じ、或いは、パドル台２３のハンドル側部位２３ａよりも低い。これにより、除細動器本体２０を正面側から見ると、除細動器本体２０の上面２１１において、パドル３０、４０を収容したパドル台２３の上端（ハンドル側部位２３ａ）は、正面に臨む位置に位置している。
【００３７】
よって、体外式除細動器１０を使用する際には、患者近傍に除細動器本体２０を設置し、正面２１２側に位置する除細動処置者は、パドル３０、４０のハンドル部３２、４２を掴み、前側（正面側側）に引き寄せるようにして、本体ハンドル部２７に接触させることなく、除細動器本体２０（詳細には筐体２１）の上面２１１のパドル台２３から外すことができる。これにより、患者の体表の所定の位置にパドル３０、４０を迅速に押し当てることでき、効果的なタイミングで、電気ショックを付与することができる。
【００３８】
また、本体ハンドル部２７は、上面２１１の前端部において、凹部２１１ａから突出して設けられ、且つ、後方に空隙Ｇが形成されているため、除細動処置者が握持部２７３を握る際に、指を通して握りやすくなっている。
【００３９】
またパドル台２３と、除細動器本体２０とを別部材で構成し、パドル台２３が、除細動器本体２０に着脱可能に設けた構成としてもよい。パドル３０、４０に換えて、パッドや体内用パドルを除細動器本体２０に接続することも可能である。
【００４０】
なお、本実施の形態では、本体ハンドル部２７は、除細動器本体２０の上面２１１から突出して、上面２１１に一体に設けた構成としたが、その上端（上端２７３ａ）が、パドル３０、４０の使用時に、パドル台２３のハンドル側部位２３ａの位置と略同じか、低い高さ位置に位置すれば、どのように構成してもよい。例えば、アーム部２７１、２７２が上面２１１に対して可動するようにして、本体ハンドル部２７の上端（握持部２７３の上端２７３ａ）の高さ位置が、パドル台２３のハンドル側部位２３ａの高さと略同じか、ハンドル側部位２３ａの位置よりも低い位置に移動可能な、可動式の本体ハンドル部２７としてもよい。また、本体ハンドル部２７を可撓性材料で構成し、本体ハンドル部２７の使用時には、上方に突出して本体ハンドル部２７の上端がパドル台２３の上端（ハンドル側部位２３ａ）よりも高い位置に位置するが、パドル３０、４０の使用時には、本体ハンドル部２７の上端が、パドル台２３のハンドル側部位２３ａの高さと略同じか、ハンドル側部位２３ａの位置よりも低い位置に変位可能な構成にしてもよい。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４２】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００４３】
本発明に係る体外式除細動器は、使用時において、体外パドルを除細動器本体から容易に外して、患者に対する除細動を迅速に行える効果を有し、救急車や病院で使用される体外式除細動器として有用である。
【符号の説明】
【００４４】
１０  体外式除細動器
２０  除細動器本体
２１  筐体
２３  パドル台
２３ａ  ハンドル側部位
２４  係止部
２５  表示部
２７  本体ハンドル部
２８  突出片
３０、４０  体外パドル
３１、４１  フランジ部
５０  接続コード
５１  接続コードの本体部分
６０  コネクタ
２１１  上面
２１２  正面（一側面）
２３１、２３２  凹状部
２７３  握持部
２７３ａ  上端
２８１  ツマミ部
【図１】
0006444695.tif 000002
【図２】
0006444695.tif 000003
【図３】
0006444695.tif 000004
【図４】
0006444695.tif 000005
【図５】
0006444695.tif 000006
【図６】
0006444695.tif 000007
【図７】
0006444695.tif 000008
【図８】
0006444695.tif 000009